【手続補正書】
【提出日】平成17年12月22日(2005.12.22)
【手続補正１】
【補正対象書類名】特許請求の範囲
【補正対象項目名】請求項１
【補正方法】変更
【補正の内容】
【請求項１】
表面素材と水分吸収素材と水分不透過性フィルムとを積層してなるおむつであって、該おむつに複数の導電素材を所定の間隔をあけて、おむつ前部から後部まで延出させて配置し、導電素材間に検知器を接続した状態で導電素材間が濡れている場合に通電することで濡れを検知するおむつと、
導電素材とその上下両面に接合されている前記表面素材および前記水分不透過性フィルムとを挟み込んで内部の前記導電素材に達する接続端子を有する検知器と、
を備えた濡れ検出可能なおむつシステム。
【手続補正２】
【補正対象書類名】明細書
【補正対象項目名】００１０
【補正方法】変更
【補正の内容】
【００１０】
本発明者らは、上記の単価が高い問題と手間が掛かる問題点を解決し、低価格でかつ手間を取らせることの少ない、消費者とって極めて有益な濡れ検出の可能なおむつの製造方法について鋭意検討を行った結果、本発明に到達した。すなわち、本発明にかかる濡れ検出可能なおむつシステムは、表面素材と水分吸収素材と水分不透過性フィルムとを積層してなるおむつであって、該おむつに複数の導電素材を所定の間隔をあけて、おむつ前部（腹側）から後部（背中側）まで延出させて配置し、導電素材間に検知器を接続した状態で導電素材間が濡れている場合に通電することで濡れを検知するおむつを備え、さらに、導電素材とその上下両面に接合されている前記表面素材および前記水分不透過性フィルムとを挟み込んで内部の前記導電素材に達する接続端子を有する検知器を備えている。
【手続補正３】
【補正対象書類名】明細書
【補正対象項目名】００２０
【補正方法】変更
【補正の内容】
【００２０】
本発明において、濡れによる通電の確認方法としては、濡れ検知機能を持つ装置のコードに接続された接続端子（例えば、図２〜図５）や、濡れ検知機能を兼ね備えた接続端子（例えば、図６）を導電素材の端末部分に噛み込ませる方法が挙げられるが、いずれにしても、接続端子の形状が重要である。すなわち、接続端子は、表面素材および水分不透過性フィルムを貫通させて導電素材に直接接触させることが、導電素材の端末部分を露出させたりする手間を省く上で重要である。このため、検知装置の接続端子の形状として、例えば鰐口クリップ（図３) 、金属製の針とこれを受ける板とを備えたクリップ（図４、図６）、互いに噛み合う波型の歯を持つボタン状のクリップ（図５) などが好適に用いられる。
【手続補正４】
【補正対象書類名】明細書
【補正対象項目名】００３０
【補正方法】変更
【補正の内容】
【００３０】
図１は本発明の基本となるが、本発明に含まれないおむつの一例を示す斜視図である。おむつＤは、図１の手前側を前部( 腹側) とし、奥側を後部( 背側) としており、１は表面素材で、着用者の肌に当たる部分である。２はその下の水分吸収素材、３はさらにその下の水分不透過性フィルム、４は水分不透過性フィルム３上に配置された導電素材、５は接着部である。接着部５はおむつＤの外周部に設けられており、この接着部５では、水分吸収素材２が存在しないで、導電素材１と水分不透過性フィルム３が直接接触した状態で接着されている。図面では、表面素材１の前部の一部を接着部５の範囲内で部分的に切除した切除部８を設けることで、導電素材４を表出させているが、導電素材４は表面素材１および／または水分不透過性フィルム３に貼り付けられて一体となっているため、導電素材単独では外部に露出しない状態になっている。６はおむつを着用者に固定するためのパーツである。
【手続補正５】
【補正対象書類名】明細書
【補正対象項目名】００３３
【補正方法】変更
【補正の内容】
【００３３】
この実施形態では、接続端子２０は、図３（Ａ）に示す金属製の鰐口形状をしたクリップ部分を有しており、このクリップ２０は、基端側が回動支点２５を中心に回動可能に支持され、先端側が回動支点２５の周りに設けられたスプリング（図示せず）により常に閉鎖方向にばね力が付加された第１および第２顎部材２１，２２と、これら顎部材２１，２２の基端側を覆うカバー２３とを備え、前記各顎部材２１，２２の互いに対向する上下両面には波型の歯２４が形成されている。図３（Ａ）の状態から、前記第１，第２顎部材２１，２２の基端側を上下から押圧して、各顎部材２１，２２の先端側を図３（Ｂ）のように押し開いて、おむつＤの前部または後部に挟み込むことにより、その歯２４を表面素材１や水分不透過性フィルム３などのおむつ素材を貫通させて導電素材４に直接接続させる。
【手続補正６】
【補正対象書類名】明細書
【補正対象項目名】００３４
【補正方法】変更
【補正の内容】
【００３４】
図４は延長コード１２に取り付けられる第１変形例の接続端子３０を示している。この接続端子３０は、金属製の針とこれを受ける板を備えたクリップである。同図のクリップでは、金属製の針３１を有する第１顎部材３２と、その針３１を受ける板からなる第２顎部材３３とが用いられ、これら顎部材３２、３３は、基端側が回動支点３５により回動可能に支持され、先端側が回動支点３５の周りに設けられたスプリング（図示せず）により常に閉鎖方向にばね力が付加されており、基端側にはカバー３４が設けられている。この接続端子３０も、図４（Ａ）の状態から、前記第１、第２顎部材３２、３３の基端側を上下から押圧して、これら顎部材３２、３３の先端側を図４（Ｂ）のように押し開いて、おむつＤの前部または後部に挟み込むことにより、金属製の針３０を、おむつ素材を貫通させて導電素材４に直接接続させる。
【手続補正７】
【補正対象書類名】明細書
【補正対象項目名】００３５
【補正方法】変更
【補正の内容】
【００３５】
図５は第２変形例の接続端子４０として、ボタン状のクリップを示している。同図のクリップでは、基端側に回動支点４１が設けられ、先端側が回動支点４１の周りに設けたスプリング（図示せず）により常に閉鎖方向にばね力が付加された平面楕円形状の第１および第２顎部材４２，４３を備え、これら各顎部材４２，４３の互いに対向する上下両面には波型の歯４４が形成されている。この接続端子４０も、図５（Ａ）の状態から、前記第１，第２顎部材４２，４３の基端側を上下から押圧して、これら顎部材４２，４３の先端側を図５（Ｂ）のように押し開いて、おむつＤの前部または後部に挟み込むことにより、その歯４４をおむつ素材を貫通させて導電素材４に直接接続させる。
【手続補正８】
【補正対象書類名】明細書
【補正対象項目名】００３６
【補正方法】変更
【補正の内容】
【００３６】
図６（Ａ）に、接続端子と送信器を一体化した本発明の他の実施形態を示す。同図において、装置本体６１は、図２に示した送信器１０ａを内蔵し、先端に図６（Ａ）に示す一対の接続端子５０，５０を備えている。各接続端子５０は、金属製の三角板状の針５１を二対有する第１顎部材５２と、その針５１を受ける一対の受け孔５４，５４を有する板からなる第２顎部材５３とが、回動支点５５の回りに回動可能に支持されている。一つの受け孔５４が一対の針５１を受け入れる。針５１は、金属線からなる検出コード５７によって送信器１０ａに接続されている。前記一対の接続端子５０，５０はおむつＤの導電素材４，４のそれぞれに接触するように配置されており、図６（Ｂ）に示すように、第１および第２顎部材５２，５３によっておむつＤの前部または後部を挟み込むことにより、針５１が表面素材１や水分不透過性フィルム３などのおむつ素材を貫通して導電素材４に直接接続される。
【手続補正９】
【補正対象書類名】明細書
【補正対象項目名】００３８
【補正方法】変更
【補正の内容】
【００３８】
【図１】本発明に含まれないおむつの一例を示す斜視図である。
【図２】本発明の一実施形態のおむつシステムを示す側面図である。
【図３】同おむつシステムの接続端子を示す側面図である。
【図４】接続端子の第１変形例を示す斜視図である。
【図５】接続端子の第２変形例を示す斜視図である。
【図６】本発明の他の実施形態のおむつシステムを示す側面図である。
【手続補正１０】
【補正対象書類名】明細書
【補正対象項目名】００３９
【補正方法】変更
【補正の内容】
【００３９】
１…表面素材
２…水分吸収素材
３…水分不透過性シート
４…導電素材
１０…濡れ検出装置
１０ａ…送信器
１０ｂ…受信器
１２…延長コード
２０，３０，４０，５０…接続端子
３１…金属製針
５３…板
Ｄ…おむつ